(57)【要約】【課題】煙突を備える廃棄物処理施設を収容する建屋において、煙突を囲繞する外壁パネルのジョイント部を伝って建屋内に浸入する雨水を簡易な構造で排出することが可能な漏水排出構造を提供する。【解決手段】煙突を備える廃棄物処理施設を収容する建屋において、前記煙突を囲繞する外壁パネル１０のジョイント部を伝って前記建屋内に浸入する雨水を排出する構造であって、外壁パネル１０の幅方向に勾配を有し、溝を上方に向けて配設された溝形鋼１３の前記溝内に、外壁パネル１０の下端部が挿入され、外壁パネル１０の底面と溝形鋼１３のウェブ面との間にライナー１８が介装されている。【選択図】図２
2014214444.tif 000002
【特許請求の範囲】
【請求項１】
煙突を備える廃棄物処理施設を収容する建屋において、前記煙突を囲繞する外壁パネルのジョイント部を伝って前記建屋内に浸入する雨水を排出する構造であって、
前記外壁パネルの幅方向に勾配を有し、溝を上方に向けて配設された溝形鋼の前記溝内に、前記外壁パネルの下端部が挿入され、前記外壁パネルの底面と前記溝形鋼のウェブ面との間にライナーが介装されていることを特徴とする漏水排出構造。
【請求項２】
請求項１記載の漏水排出構造において、前記溝形鋼の下方に横引樋が配置され、前記溝形鋼のウェブの下流部に設けられた排水孔と前記横引樋が竪樋で接続されていることを特徴とする漏水排出構造。
【請求項３】
煙突を備える廃棄物処理施設を収容する建屋において、前記煙突を囲繞する外壁パネルのジョイント部を伝って前記建屋内に浸入する雨水を排出する構造であって、
前記外壁パネルの幅方向に勾配を有する樋が前記外壁パネルの下端部の直下に配設されていることを特徴とする漏水排出構造。
【発明の詳細な説明】
【技術分野】
【０００１】
本発明は、煙突を備える廃棄物処理施設を収容する建屋において、煙突を囲繞する外壁パネルのジョイント部を伝って当該建屋内に浸入する雨水を排出する構造に関する。
【背景技術】
【０００２】
廃棄物処理を行う溶融炉や焼却炉などの廃棄物処理炉を有する廃棄物処理施設を収容する建屋では、景観保持等の観点から、ＡＬＣパネル（オートクレーブ養生された軽量気泡コンクリート板）などの外壁パネルを用いて当該廃棄物処理施設の煙突外周部を遮蔽している。図７に示すように、煙突を囲繞する外壁パネル１０は、その最下端部が、建屋の煙突最下層の床を支持する鉄骨梁１２ａにピースアングル１６、１７を介して接合された支持アングル３０に固定され、外壁パネル１０の最下端部と折板屋根１１の水上端部とがほぼ同じ高さとされている。即ち、煙突を囲繞する外壁パネル１０は、地上から浮いた状態で設置されている。
【０００３】
また、煙突を囲繞する外壁パネル１０の最下端部と折板屋根１１の水上端部との間に生じる隙間から雨水が建屋内に浸入しないように、該隙間の開口部が断面Ｌ字形の棟水切り１４によって覆われ、さらに棟水切り１４の上縁部が水切り金物１５によって被覆されている。なお、折板屋根１１の水切りについては、例えば特許文献１が参考になる。
【先行技術文献】
【特許文献】
【０００４】
【特許文献１】特開平０３−１１９２４８号公報
【特許文献２】特開２００１−０９０２３６号公報
【発明の概要】
【発明が解決しようとする課題】
【０００５】
図８（Ａ）、（Ｂ）に示すように、外壁パネル１０と外壁パネル１０の間のジョイント部３１には、アクリル系やウレタン系のシーリング材３２が充填されている（例えば特許文献２参照）。しかし、施工から数年程度経過すると、シーリング材３２が経年劣化し、シール切れが発生する。シール切れが発生すると、縦方向に設けられたジョイント部３１を伝って雨水Ｒが建屋内に浸入し屋根からしたたり落ちるため、建屋内のプラント機器類に支障が生じるだけでなく、操業にも影響を及ぼすおそれがある。また、外壁パネル１０のジョイント部３１を伝って雨水Ｒが建屋内に浸入しないようにするため、シーリング材３２の打替えを行うと、コストが掛かるという問題がある。
【０００６】
廃棄物処理炉を有する廃棄物処理施設を収容する建屋では、煙突外壁パネルが折板屋根から突出していること、さらにはプラント機器類の建屋内への取込み及び据付けのため折板屋根の施工が外壁パネルより後工程となることなどの理由により、外壁パネルのジョイント部を伝って下方に流れる雨水を屋根で受けることができないという特殊事情がある。
他方、上記漏水トラブルは、外壁パネルと折板屋根から構成される通常の建物では発生しない問題であるため、課題として認識されていなかった。
【０００７】
本発明はかかる事情に鑑みてなされたもので、煙突を備える廃棄物処理施設を収容する建屋において、煙突を囲繞する外壁パネルのジョイント部を伝って建屋内に浸入する雨水を簡易な構造で排出することが可能な漏水排出構造を提供することを目的とする。
【課題を解決するための手段】
【０００８】
上記目的を達成するため、第１の発明は、煙突を備える廃棄物処理施設を収容する建屋において、前記煙突を囲繞する外壁パネルのジョイント部を伝って前記建屋内に浸入する雨水を排出する構造であって、
前記外壁パネルの幅方向に勾配を有し、溝を上方に向けて配設された溝形鋼の前記溝内に、前記外壁パネルの下端部が挿入され、前記外壁パネルの底面と前記溝形鋼のウェブ面との間にライナーが介装されていることを特徴としている。
【０００９】
第１の発明では、煙突を囲繞する外壁パネルの幅方向に勾配をもたせて溝形鋼を配設し、外壁パネルの下端部を溝形鋼の溝内に挿入して該外壁パネルを溝形鋼で支持する。その際、溝形鋼が外壁パネルの幅方向に勾配を有しているため、外壁パネルの底面と溝形鋼のウェブ面との間にライナーを介装し、ライナーを介して外壁パネルを支持する。
外壁パネルのジョイント部を伝って下方に流れる雨水は、該外壁パネルを支持する溝形鋼の溝内に落下する。溝形鋼の溝内に落下した雨水は、溝形鋼の下流側に向けて溝内を流れ、最終的に屋外に排出される。
【００１０】
また、第１の発明に係る漏水排出構造では、前記溝形鋼の下方に横引樋が配置され、前記溝形鋼のウェブの下流部に設けられた排水孔と前記横引樋が竪樋で接続されていることを好適とする。
当該構成では、溝形鋼で受けた雨水を竪樋を介して横引樋に流すようにすることで、連続する１本ものの溝形鋼ではなく、複数の不連続な溝形鋼で外壁パネルを支持することが可能となる。即ち、溝形鋼は雨水を集水する機能のみとし、集水した雨水の排出を横引樋に受けもたせることができる。これにより、１本当たりの溝形鋼の高低差を小さくすることができ、本来の支持機能を保持することができる。
【００１１】
また、第２の発明は、煙突を備える廃棄物処理施設を収容する建屋において、前記煙突を囲繞する外壁パネルのジョイント部を伝って前記建屋内に浸入する雨水を排出する構造であって、
前記外壁パネルの幅方向に勾配を有する樋が前記外壁パネルの下端部の直下に配設されていることを特徴としている。
【００１２】
第２の発明では、外壁パネルのジョイント部を伝って下方に流れる雨水は、煙突を囲繞する外壁パネルの直下に配設された樋内に落下した後、屋外に排出される。
【発明の効果】
【００１３】
第１の発明に係る漏水排出構造では、煙突を囲繞する外壁パネルの幅方向に勾配を有する溝形鋼の溝内に該外壁パネルの下端部を挿入し、該外壁パネルをライナーを介して支持する簡易な構造とすることにより、外壁パネルのジョイント部を伝って建屋内に浸入した雨水を溝形鋼を介して屋外に排出することができる。即ち、本発明では、煙突を囲繞する外壁パネルの下端部を支持する溝形鋼が樋の機能も有しているので、シーリング材の打替えが不要となり、コストの削減を図ることができる。
【００１４】
また、第２の発明に係る漏水排出構造では、煙突を囲繞する外壁パネルの幅方向に勾配を有する樋を該外壁パネルの下端部の直下に配設することにより、外壁パネルのジョイント部を伝って建屋内に浸入した雨水を樋を介して屋外に排出することができる。
【図面の簡単な説明】
【００１５】
【図１】（Ａ）は煙突を備える廃棄物処理施設を収容する建屋を構成する屋根の部分平面図、（Ｂ）はＡ−Ａ矢視断面図である。
【図２】本発明の第１の実施の形態に係る漏水排出構造における、煙突を囲繞する外壁パネルと折板屋根との取り合い部分の詳細図である。
【図３】同漏水排出構造における、煙突を囲繞する外壁パネルを支持する溝形鋼及びその周辺の詳細図である。
【図４】同漏水排出構造における、煙突を囲繞する外壁パネルと折板屋根との取り合い部分の詳細図である。
【図５】同漏水排出構造における、煙突を囲繞する外壁の下部周辺の立面図である。
【図６】本発明の第２の実施の形態に係る漏水排出構造における、煙突を囲繞する外壁パネルと折板屋根との取り合い部分の詳細図である。
【図７】従来技術における、煙突を囲繞する外壁パネルと折板屋根との取り合い部分の詳細図である。
【図８】（Ａ）は煙突を囲繞する外壁パネル間に設けられたジョイント部の部分立面図、（Ｂ）はＢ−Ｂ矢視断面図である。
【発明を実施するための形態】
【００１６】
続いて、添付した図面を参照しつつ、本発明を具体化した実施の形態について説明し、本発明の理解に供する。
【００１７】
［第１の実施の形態］
廃棄物処理炉を有する廃棄物処理施設（図示省略）を収容し、本発明の第１の実施の形態に係る漏水排出構造を有する建屋の一例を図１に示す。本建屋は、鉄骨柱２６及び鉄骨梁１２、１２ａからなる鉄骨造とされ、鉄骨梁１２の上には両流れの折板屋根１１が構成されている（図１（Ａ）参照）。
建屋の一方の切妻サイドには、折板屋根１１から突出する煙突外壁パネル１０が配置されている（図１（Ｂ）参照）。煙突外壁パネル（以下では、単に「外壁パネル」と呼ぶ。）１０は、廃棄物処理施設の煙突（図示省略）の四方を囲繞する。図１（Ａ）において二点鎖線で示した箇所、即ち切妻面を除く三面が本実施の形態に係る漏水排出構造とされている。
【００１８】
本実施の形態に係る漏水排出構造を説明するための詳細図を図２〜図５に示す。図５に示すように、外壁パネル１０は、幅６００ｍｍ、長さ２４００ｍｍ〜３０００ｍｍ、厚さ１００ｍｍ程度のＡＬＣパネルからなり、外壁パネル１０の長辺が上下方向（高さ方向）、外壁パネル１０の短辺が水平方向（幅方向）とされ、水平方向及び鉛直方向に連設されている。
【００１９】
本実施の形態に係る漏水排出構造では、ウェブと一対のフランジで形成される溝を上方に向け、外壁パネル１０の幅方向に勾配を有する状態で配置された溝形鋼１３が、ピースアングル１６、１７を介して、煙突に近接する鉄骨梁１２ａに接合されている（図３参照）。溝形鋼１３の溝内には外壁パネル１０の下端部が挿入され、外壁パネル１０の底面（短辺側小口面）と溝形鋼１３のウェブ面との間には、外壁パネル１０のレベルを調節するため、一対の楔状のライナー１８が介装されている。
【００２０】
なお、外壁パネル１０の内壁面の下端部には、外壁パネル１０を溝形鋼１３に固定するための締結金物２４がボルト２５を介して装着されている。締結金物２４は断面がＺ形とされ、溝形鋼１３の一方のフランジ先端部が締結金物２４と外壁パネル１０の内壁面との間に挿入されるように、外壁パネル１０の下端部を溝形鋼１３の溝内に挿入し、締結金物２４を溝形鋼１３の一方のフランジに固着する（図２、図４参照）。
【００２１】
図２に示すように、溝形鋼１３のウェブの下流部には、雨水Ｒを排水するための排水孔１３ａが設けられている。排水孔１３ａには竪樋１９の上端が接続され、竪樋１９の下端は、溝形鋼１３の下方に配置された横引樋２０に接続されている。
また、溝形鋼１３には、図４に示すように、横引樋２０を吊るための吊ボルト２１が取り付けられている。吊ボルト２１は、溝形鋼１３のウェブ下面に固着された吊具用溝形鋼２３に吊金具２２を介して取り付けられている。
【００２２】
図５に示すように、外壁パネル１０を支持する溝形鋼１３は鉄骨梁１２間に配設され、各溝形鋼１３はそれぞれ独立した勾配を有している。溝形鋼１３の下方に位置する横引樋２０は一方の鉄骨柱２６から他方の鉄骨柱２６まで延在し、各溝形鋼１３から下方に延びる竪樋１９が接続されている。外壁パネル１０のジョイント部３１を伝って各溝形鋼１３に流れ落ちた雨水Ｒは竪樋１９を介して横引樋２０に流れ、横引樋２０から最寄りの樋を介して外部に排出される。
なお、各溝形鋼１３の両端面から雨水Ｒが漏れ出ないように、各溝形鋼１３の両端面はプレート（図示省略）で封止されている。また、横引樋２０の勾配は１／１００程度とされている。
【００２３】
次に、本実施の形態に係る漏水排出構造の施工手順について説明する。
（１）煙突に近接する鉄骨梁１２ａから外方に向けてピースアングル１６が突出するように、鉄骨梁１２ａにピースアングル１６を溶接する（図３参照）。
（２）溝を上方に向け、外壁パネル１０の幅方向に勾配を有する状態で配置した溝形鋼１３を、ピースアングル１７を介してピースアングル１６の先端に溶接する。なお、予め、溝形鋼１３に排水孔１３ａを形成しておくと共に、溝形鋼１３のウェブ下面に吊具用溝形鋼２３を溶接しておく。
（３）高さ調節したライナー１８を溝形鋼１３の溝内に配置する。そして、最下段に配設される外壁パネル１０の下端部を溝形鋼１３の溝内に挿入し、外壁パネル１０の内壁面の下端部に装着されている締結金物２４と溝形鋼１３とを固着して外壁パネル１０と溝形鋼１３とを固定する。なお、予め、外壁パネル１０の内壁面の下端部には、断面がＺ形とされた締結金物２４をボルト２５を介して装着しておく。
【００２４】
（４）鉄骨梁１２の上に折板屋根１１を構築する。
（５）煙突を囲繞する外壁パネル１０の最下端部と折板屋根１１の水上端部との間に生じる隙間を断面Ｌ字形の棟水切り１４で覆い、さらに棟水切り１４の上縁部を水切り金物１５で被覆する。
【００２５】
（６）溝形鋼１３の排水孔１３ａに竪樋１９を溝形鋼１３の下方から接続すると共に、吊ボルト２１を吊金具２２を介して吊具用溝形鋼２３に取り付ける。
（７）横引樋２０を吊ボルト２１に取り付け、竪樋１９と横引樋２０とを接続する。
【００２６】
［第２の実施の形態］
本発明の第２の実施の形態に係る漏水排出構造を説明するための詳細図を図６に示す。本実施の形態では、従来と同様、煙突を囲繞する外壁パネル１０の最下端部が、建屋の煙突最下層の床を支持する鉄骨梁１２ａにピースアングル１６、１７を介して接合された支持アングル３０に固定されている。
外壁パネル１０の最下端部の直下には、外壁パネル１０の幅方向に勾配を有する樋２７が配設されている。本実施の形態では、樋２７は溝形鋼とされ、溝を上に向けた状態で鉄骨梁１２上に固定されている。
【００２７】
第１の実施の形態と同様、溝形鋼からなる樋２７の下流部には、雨水を排水するための排水孔２７ａが設けられている。排水孔２７ａには竪樋１９の上端が接続され、竪樋１９の下端は、樋２７の下方に配置された横引樋２０に接続されている。
【００２８】
なお、折板屋根１１と樋２７の間、並びにピースアングル１７と樋２７の間から雨水が建屋内に浸入しないように、樋２７は、折板屋根１１及びピースアングル１７にできるだけ近接させた状態で設置することが望ましい。
【００２９】
以上、本発明の実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、建屋の切妻側に煙突が設けられているが、建屋の中央部に煙突が設けられていてもよい。また、上記実施の形態では、楔状のライナーを使用しているが、これに限定されるものではなく、薄板状のライナーなどでもよい。
【符号の説明】
【００３０】
１０：外壁パネル、１１：折板屋根、１２、１２ａ：鉄骨梁、１３：溝形鋼、１３ａ、２７ａ：排水孔、１４：棟水切り、１５：水切り金物、１６、１７：ピースアングル、１８：ライナー、１９：竪樋、２０：横引樋、２１：吊ボルト、２２：吊金具、２３：吊具用溝形鋼、２４：締結金物、２５：ボルト、２６：鉄骨柱、２７：樋、３０：支持アングル、３１：ジョイント部
【図１】
2014214444.tif 000003
【図２】
2014214444.tif 000004
【図３】
2014214444.tif 000005
【図４】
2014214444.tif 000006
【図５】
2014214444.tif 000007
【図６】
2014214444.tif 000008
【図７】
2014214444.tif 000009
【図８】
2014214444.tif 000010